(57)【要約】【課題】    立体造型である竹製円弧材のモジュール化生産構造の提供。【解決手段】    立体造型である竹製円弧材のモジュール化生産構造は、適当な長さ、及び、数量の竹材を利用し、金型で予めL字型、門型、不規則な円弧形、及び、円形等の湾曲円弧形を含む部分に成型し、更に、排列、組み合わせにより、これらの円弧形部分を立体のフレーム体にする。フレーム体は、直接、置物箱、置物筒等に形成してもよいし、複数の板体、或いは、板塊を立体フレーム体が設けるスロットに嵌設して、置物棚や物品を放置する収納器具にすることもできる。【選択図】    図２
0003140653.tif 000002
【実用新案登録請求の範囲】
【請求項１】
立体造型である竹製円弧材のモジュール化生産構造であって、複数の円弧部分を有し、これらの円弧部分は、ある長さの竹材を金型によりL字型円弧部分、門型円弧部分、不規則な円弧部分、及び、円弧形部分に成型し、前記L字型円弧部分は立体の不規則なフレーム体を構成し、前記門型円弧部分は立体の不規則なフレーム体を構成し、前記不規則な円弧部分は、立体の流線型フレーム体を構成し、前記複数の円弧部分と前記門型円弧部分は、立体の不規則なフレーム体を構成し、前記円弧形部分は、立体の螺旋形置物箱を構成し、前記L字型円弧部分、或いは、前記門型円弧部分と前記円弧形部分は、立体の不規則なフレーム体を構成することを特徴とする立体造型である竹製円弧材のモジュール化生産構造。
【請求項２】
前記円弧部分の竹材は、円形、正方形、長方形、不規則形であることを特徴とする請求項１に記載の立体造型である竹製円弧材のモジュール化生産構造。
【請求項３】
前記円弧部分は、立体フレーム体を構成し、前記フレーム体はスロットを設置して、前記スロットは板体や板塊を嵌入することを特徴とする請求項１に記載の立体造型である竹製円弧材のモジュール化生産構造。
【考案の詳細な説明】
【技術分野】
【０００１】
本考案は、モジュール化により竹材を加工し、多種の円弧形を含む部分を大量生産し、排列、組み合わせ方式により、立体造型の接合構造を構成する構造に関する。
【背景技術】
【０００２】
一般に、机、椅子、収納棚を製造する家具材料は、石材、ガラス、木材、プラスチック、ステンレス等があるが、木材や竹製の家具は、素朴さがあって、多くの人に愛されている。
【０００３】
本案の出願者は、日本国特許２００７−７６０７号の考案において、公知の竹製容器の欠点を解決している。その特徴は、適当な長さ、及び、数量の竹材を利用し、金型により、予め、湾曲した円弧部分に成型し、これらの円弧部分を封閉するフレーム体に組み合わせる。円弧形部分は、方形、円形、楕円形等の幾何学形状のフレーム体を構成することができ、更に、板体や板塊と組み合わせて、収納箱や置物箱にすることができる。収納箱や置物箱の輪郭形状は、フレーム体の輪郭によって決定する。
【０００４】
例えば、図１２は前述の公知案の図面で、金型を利用し、適当な長さの竹材を適当な圧力で、二個の実心の門型円弧部分Rを圧縮成型し、二個の門型円弧部分の両端は相互に接合して、方形のフレーム体を構成する。図１３は、四個の実心のL字型円弧部分Rを相互に接合してなる方形のフレーム体を示す。図１４は、一個の実心の門型円弧部分R、及び、二個の実心の円弧部分を接合してなる方形のフレーム体を示す。
【０００５】
前述の公知案の欠点は、構成されるフレーム体が平面形式であり、よって、容器を構成した後の多様性が少ないことである。
【考案の開示】
【考案が解決しようとする課題】
【０００６】
本考案の目的は、大量生産方式を採用し、竹材が複数の円弧形を有する部分を成型し、これらの部分を排列、組み合わせして、立体造型の器具を製作することにある。
【課題を解決するための手段】
【０００７】
本考案は、適当な長さ、及び、数量の竹材を利用し、金型で予め湾曲した円弧形に成型し、更に、排列、組み合わせにより、これらの円弧形部分を立体のフレーム体にする。フレーム体は、スロットを設置し、板体や板塊を嵌入して、置物棚や物品を放置する収納箱、置物箱、家具等にすることができる。
【０００８】
本考案は、複数の円弧部分を完全な立体造型フレーム体に組み合わせ、予め、モールド圧縮成型により、一般には加工定型が難しい竹材を各種形態の円弧部分にして、円弧部分を必要な立体造型のフレームにする。円弧部分の竹材は、円形、正方形、長方形、不規則形状である。
【考案の効果】
【０００９】
本考案により制作される容器は変化性に富む。
【考案を実施するための最良の形態】
【００１０】
図１は、本考案の立体造型フレーム体の実施例を示す図で、金型を利用し、適当な長さの竹材を、適当な圧力で複数のL字型円弧部分１１に圧縮成型し、必要に応じて、複数の真っ直ぐな部分１２を設置する。接合技術により、複数のL字型円弧部分１１の一端ともう1つのL字型円弧部分１１の一端を接合面Aとして相互に接合するか、或いは、真っ直ぐな部分１２の一端を接合面Aとして相互に接合し、立体造型のフレーム体１を構成する（図２で示される）。本考案において、前述のL字型円弧部分１１と真っ直ぐな部分１２の連接は、粘合、鎖接等の方式で、立体造型のフレーム体に結合する。
【００１１】
図３で示されるように、本考案は、前述の粘合技術により接合する以外に、L字型円弧部分１１上に複数のスロット１４を設置し、また、スロット１４と嵌合する複数の竹製板体２を提供し、板体２をスロット１４に嵌入して固定して、フレーム体１と板体２が置物棚を構成する。この他、長い置物棚が必要な場合、両L字型円弧部分の接合面に、真っ直ぐな部分１２を接合してもよい（図４で示される）。
【００１２】
図５と図６で示されるように、本考案は、複数の門型円弧部分１５を利用して、縦横の形態で排列し、その端部を接合して、立体造型のフレーム体１を構成する。
【００１３】
図７で示されるように、本考案は、門型円弧部分１５の側面に細長いスロット１４Aを設置し、別に、端部がスロット１４Aに挿入できる複数の竹製板体２を提供し、板体２の端部はスロット１４Aに挿入して固定し、フレーム体１と板体２は置物棚を構成する（図８で示される）。
【００１４】
図９で示されるように、複数の不規則な円弧部分１３を利用し、端部を相互に接合して組み合わせ固定し、流線型の立体造型フレーム体を形成する。
【００１５】
図１０で示されるように、本考案は、複数のL字型円弧部分１１、複数の真っ直ぐな部分１２、及び、複数の門型円弧部分１５により、立体造型の置物箱を形成する。
【００１６】
図１１で示されるように、本考案は、複数の円弧形部分１６を使用し、螺旋で接合して、筒状の置物筒にする。
【図面の簡単な説明】
【００１７】
【図１】本考案による竹材を複数のL字型円弧部分と真っ直ぐな部分の成型し、これらの部分を立体造型フレーム体にした実施例の立体図である。
【図２】図１の素子の組み合わせ後の立体図である。
【図３】本考案よるスロットを設置し、板体をスロットに嵌入する実施例の分解立体図である。
【図４】図３の素子の組み合わせ後、置物棚を形成する立体図である。
【図５】本考案による複数の門型円弧部分により立体造型フレームを構成する実施例の立体図である。
【図６】図５の各部分の組み合わせ関係の立体分解図である。
【図７】本考案による側面に細長いスロットが設置され、板体の端部がスロットに嵌入された状態を示す図である。
【図８】図７の素子の組み合わせ後の立体図である。
【図９】本考案の実施例による不規則円弧部分がフレーム体を組成する立体図である。
【図１０】複数のL字型円弧部分、複数の真っ直ぐな部分、及び、複数の門型円弧部分により置物箱を構成する実施例の立体図である。
【図１１】複数の円弧形部分により螺旋形置物容器を構成する実施例の立体図である。
【図１２】公知の二門型円弧部分により方形フレーム体を構成した立体図である。
【図１３】公知の四個のL字型円弧部分により方形フレーム体を構成した立体図である。
【図１４】公知の一門型円弧部分と二個のL字型部分により方形フレーム体を構成した立体図である。
【符号の説明】
【００１８】
１…フレーム体
１１…L字型円弧部分
１２…真っ直ぐな部分
１３…不規則な円弧段
１４…スロット
１４A…スロット
１５…門型円弧部分
１６…円弧形部分
２…板体
A…接合面
【図１】
0003140653.tif 000003
【図２】
0003140653.tif 000004
【図３】
0003140653.tif 000005
【図４】
0003140653.tif 000006
【図５】
0003140653.tif 000007
【図６】
0003140653.tif 000008
【図７】
0003140653.tif 000009
【図８】
0003140653.tif 000010
【図９】
0003140653.tif 000011
【図１０】
0003140653.tif 000012
【図１１】
0003140653.tif 000013
【図１２】
0003140653.tif 000014
【図１３】
0003140653.tif 000015
【図１４】
0003140653.tif 000016